(57)【要約】      （修正有）【課題】出納、記録、照合、収納時に各項目分の仕分封筒が散乱し作業効率が悪く紛失の恐れもあり、また金銭と領収書類や通帳等を同一仕分封筒に保管すると出納し難く、別々に保管すると管理及び収納に不便である、という問題点を解決する。本考案は、ファイルに綴り込むことができ、また金銭や領収書類、通帳等を同一仕分封筒でそれぞれ別の箇所に挿入できるようにしたファイリング仕分封筒の提供を目的とする。【解決手段】一般的な封筒に、ファイルに綴り込むための保持穴及び金銭や領収書類、通帳等を同一封筒でそれぞれ別の箇所に挿入できるようにするための収容ポケットを設けたファイリング仕分封筒によりこの課題を解決する。【選択図】図１
0003124931.tif 000002
【実用新案登録請求の範囲】
【請求項１】
封筒本体の一側部に保持穴を設けると共に、その他面に収容ポケットを設けたことを特徴とするファイリング仕分封筒。
【請求項２】
前記封筒本体の両側部及び底部にマチを設けたことを特徴とする請求項１に記載のファイリング仕分封筒。
【請求項３】
前記収容ポケットの前面に小ポケットを設けたことを特徴とする請求項１又は２に記載のファイリング仕分封筒。
【請求項４】
前記封筒本体の一面、又は前記封筒本体の他面、又は前記封筒本体のふた、又は前記封筒本体の底部、又は前記封筒本体の他側部、又は前記収容ポケット、又は前記小ポケットに記入欄を設けたことを特徴とする請求項１から３のいずれかに記載のファイリング仕分封筒。
【請求項５】
前記封筒本体の一面に前記記入欄を設けた記入用紙を貼着し、前記記入用紙に折れ線加工を施したことを特徴とする請求項４に記載のファイリング仕分封筒。
【考案の詳細な説明】
【技術分野】
【０００１】
本考案は、金銭管理をするための仕分封筒に関する。
【背景技術】
【０００２】
従来の仕分封筒は、一般的な封筒に、日付、摘要、入出金額、及び残高等の記入欄が前記封筒本体に直接又は全面に粘着層を有す貼着用ラベルに印字されており、支出項目ごとに金銭や領収書類、通帳等を仕分けて挿入し、出納記録を前記記入欄に記入して金銭管理を行っていた。主に現金出納帳と組で利用され、領収書類は現金出納帳内に貼着又は別に用意した封筒や仕分封筒に保管し、各仕分封筒は現金出納帳内に設けられたポケットに挿入又はそのまま挟み込んで保管していた。
【考案の開示】
【考案が解決しようとする課題】
【０００３】
しかし、出納、記録、照合、収納等の際に各項目分の仕分封筒が散乱し作業効率が悪く紛失の恐れがある。
また記録先である仕分封筒と領収書類の保管先が別々であると照合の際不便であり、また金銭と領収書類や通帳を同じ仕分封筒内に挿入すると出納し難くなるため同項目でありながら別々の仕分封筒に保管することとなり、それに伴い管理する仕分封筒の数が増え作業や収納に不便であった。
そこで本考案は、ファイルに綴り込むことができ、また金銭や領収書類、通帳等を同一仕分封筒でそれぞれ別の箇所に挿入できるようにしたファイリング仕分封筒の提供を目的とする。
【課題を解決するための手段】
【０００４】
前記目的を達成すべく、請求項１の考案では封筒本体の一側部に保持穴を設けると共に、その他面に収容ポケットを設け、また請求項２の考案では封筒本体の両側部及び底部にマチを設け、また請求項３の考案では収容ポケットの前面に小ポケットを設け、また請求項４の考案では封筒本体の一面、又は封筒本体の他面、又は封筒本体のふた、又は封筒本体の底部、又は封筒本体の他側部、又は収容ポケット、又は小ポケットに記入欄を設け、また請求項５の考案では封筒本体の一面に記入欄を設けた記入用紙を貼着しその記入用紙に折れ線加工を施した。
【考案の効果】
【０００５】
請求項１の考案によれば、ファイルに綴り込むことができ、その状態のまま作業及び収納ができるため散乱や紛失を防げ、また収容ポケットを設けることにより同項目の金銭や領収書類、通帳等を一枚のファイリング仕分封筒で別の箇所に保管できるようになるため出納、管理、収納がしやすくなる。
【０００６】
また請求項２の考案によれば、挿入できる容量が増えるため通常の容量では入りきらなかった年次決算分の領収書類等も保管でき、また複数冊の通帳や電卓、文具等の保管場所としても使用できるようになる。
【０００７】
また請求項３の考案によれば、同項目の金銭、領収書類、通帳、カード等を一枚のファイリング仕分封筒で更に細かく仕分けることができ、またそれら一式をコンパクトに収納できるので金融機関への入出金や振込み、支払い等の際に綴り込んだ状態のまま持ち出せスムーズに作業を行うことができる。
【０００８】
また請求項４の考案によれば、記録先と保管先が同一ファイリング仕分封筒であることから綴り込んだ状態で記入、出納ができるため作業効率が良くなり、また見出しの記入欄を設ければ目的のファイリング仕分封筒を簡単に見つけ出すことができる。
【０００９】
また請求項５の考案によれば、記入及び参照がしやすく、積層貼着が可能であることから記入欄を必要に応じて追加できるようになり、また封筒本体に直接記入又は記入用紙を全面貼着しないため決算後にファイリング仕分封筒の再利用が可能になる
【考案を実施するための最良の形態】
【００１０】
次に本考案のファイリング仕分封筒を、図面を基に説明する。
図1はファイリング仕分封筒の実施例を示す斜視図であり、封筒本体B１の一側部B２に設けた保持穴BaをファイルAに設けられたリングAaに通してファイリング仕分封筒Bを二枚綴り込み、ふたBbを閉じ裏表両面が可視できるよう見開きにした状態を示している。
封筒本体B1の一面B５には、記入欄Eb及び折れ線Eaを設けた記入用紙Eを貼着し、他面B６には、開口部C１を傾斜にした収容ポケットC及び開口部D１に切り込みを入れた小ポケットDを二個設け、一枚目の他側部B３には見出しE１を、二枚目の他側部B３には見出しE２を、それぞれ高さを変えて設けている。
【００１１】
開口部Bcには出納しやすいよう切り込みを入れても良く、また開口部C１は底部B４と平行としても一側部B２に下りる傾斜としても良く、また小ポケットDを設ける場合は開口部D１と開口部C１が重ならないように設け、開口部D１は切り込みを入れず開口部C１同様傾斜にしても良い。
また小ポケットDを複数設ける場合は開口部D１,D２が重ならないように設け、また各小ポケットDの底部は封筒本体B１の底部B４の位置に揃える必要はなく、各小ポケットDの底辺にのりしろを設け、カードサイズに合わせた高さに調整しても良い。
【００１２】
ファイルAはバイブルサイズ、若しくはB６サイズが望ましく、ファイリング仕分封筒Bもこの大きさに合わせると封筒本体B１には紙幣、収容ポケットCには通帳、小ポケットDにはカードが無駄なく丁度収まる大きさになるが、ファイルA及びファイリング仕分封筒Bの大きさ、及び挿入物はこれらに限定されるものではなく、ファイルAに収まる範囲内であれば、ファイリング仕分封筒Bの大きさは自由であり、文具等の小物に合わせた大きさとしても良い。
また、ファイリング仕分封筒Bの素材が薄手で破れやすい紙等の場合は、保持穴Ba、及び開口部Bｃ、C１、D１等に補強をすると良い。
【００１３】
記入欄Eｂは一面B５、他面B6、ふたBb、底部B４、他側部B３、収容ポケットC、小ポケットDのいずれか、若しくは複数箇所に直接、又は粘着層を設けた用紙、ラベル、付箋紙等の記入用紙Eに設け、設ける位置に応じて日付欄、摘要欄、入出金額欄、残高欄、チェック欄、項目名称記入欄、決算後の合計額や差引残高の記入欄等を設ける。
また記入用紙Eに設けた折れ線Eaは、記入用紙Eの上部、側部、下部いずれかに、ガイド線の印字又はミシン目やエンボス等の加工を施すと良い。
【００１４】
図２はファイリング仕分封筒の実施例を示す展開図である。
山折線ｙ１,ｙ２の順に、残る山折線ｙ３,ｙ４,ｙ５も全て山折りにし、他側部のりしろBfを他側部接着先B１０に、底部のりしろBeを底部接着先B１１に接着することにより形成され、一面部B８は図１に示す一面B５、他面部B９は図１に示す他面B６、収容ポケット部B７は図１に示す収容ポケットC、ふた部Bdは図１に示すふたBb、山折線ｙ２は図１に示す一側部B２、山折線ｙ１は図１に示す他側部B３となり、また空き部B１２、B１３、B１４は、図１に示す保持穴Baや図１に示す収容ポケットCの破損を防ぎ、また出納しやすくするために設けた部である。
【００１５】
収容ポケット部B７、一面部B８、他面部B９及び他側部のりしろBfからなる展開図Gの横幅は、収容ポケット部B７、一面部B８、他面部B９が均等であり、それらに他側部のりしろBfを加えた大きさとなっており、図１に示すファイルAをバイブルサイズとし図１に示すファイリング仕分封筒Bをその大きさに合わせた場合は、縦横ともに丁度A４サイズで作成できるが、通帳を図１に示す封筒本体B１、又は図１に示す収容ポケットCに挿入すると横幅に余裕がない状態となる為、横幅はA４ノビサイズ程度の大きさにするのが望ましい。
また図１に示す小ポケットDを設ける場合は、展開図Gと一続きにする必要はなく、別素材で形成し接着する等して設けても良い。
【００１６】
他側部のりしろBｆ、底部のりしろBeの粘着面、及び底部接着先B１１は展開図Gの裏表どちらの面に設けても良く、他側部のりしろBｆの粘着面を展開図Gの裏面に設けた場合は、一面部B８が接着先となる。
なお、展開図Gは、収容ポケット部B７、一面部B８、他面部B９の並び順を変え、それに応じて他側部のりしろBfの位置及び山折線ｙ１からｙ５の畳み方を変える等して変更も可能である。
【００１７】
図３はマチを設けたファイリング仕分封筒の実施例を示す展開図である。
山折線ｙ６,ｙ７を山折り、谷折線ｚ１を谷折りにしてジャバラ状に畳み図１に示す他側部B３のマチを形成し、同じく山折線ｙ８,ｙ９を山折り、谷折線ｚ２を谷折りにして図１に示す一側部B２のマチを形成し、また山折線ｙ１０,ｙ１１を山折り、谷折線ｚ３を谷折りにして、図１に示す底部B４にマチを形成する。
【００１８】
しかし、この状態では図１に示す他側部B３のマチと図１に示す底部B４のマチとが接触し綺麗に畳めないため、山折線ｙ１２及び谷折線ｚ４,ｚ５を設ける。この畳み方については図４にて説明するが、前記山折線ｙ１２及び谷折線ｚ４,ｚ５を設けず、山折線ｙ１０,ｙ１１を山折りの折れ線、谷折線ｚ３を山折りにし形成することも可能である。
【００１９】
マチH１,H２,H３,H４,H５,H６の広さは均等であり、図１に示すリングAaの内寸の範囲内で広く設けることは可能であるが、あまり広くし過ぎると図２に示す空き部B１３から硬貨等の小さい挿入物が落ちてしまうため、その場合は図２に示す空き部B１３部分を設けず、図１に示す他側部B２に山折線ｙ１２及び谷折線ｚ４,ｚ５同様の折り目を入れ図４に示す畳み方をすると良い。
【００２０】
マチH３,H４に設ける図１に示す保持穴Baについては、マチが狭く図１に示すリングAaと接触しないのであれば必要ないが、接触、又はリングに保持される状態となるとマチが充分に開かないため、マチH３,H４を稼動させるためのリング避けB３のような切り込みを入れると良い。
【００２１】
また、マチを設けるとふたBiが不本意に開いてしまうことがあるため、ふたBiはマチの長さを考慮し長めにとり、折れ線ｘ１,ｘ２,ｘ３に山折りになるエンボス等の折れ線を入れてガイド線とし、折れ線ｘ１,ｘ２,ｘ３からなる部に掛からないよう弱粘着層を設け仮止めできるようにする等の方法により回避すると良い。
【００２２】
図４はマチを設けたファイリング仕分封筒の実施例を示す側面拡大図である。
図１に示す他側部B３の図１に示す底部B４付近を拡大した図であり、図３の展開図を形成すると、一面側Haは図３に示す山折線ｙ６、他面側Hcは図３に示す山折線ｙ７、マチ一辺Hbは図３に示す谷折線ｚ１、一面側マチHdは図３に示すマチH１、他面側マチHeは図３に示すマチH２、マチ他辺Hfは図３に示す山折線ｙ１２、一面側マチ辺Hgは図３に示す谷折線ｚ４、他面側マチ辺Hhは図３に示す谷折線ｚ５、底部一面側マチHkは図３に示すマチH５、底部マチ辺Hｌは図３に示す谷折線ｚ３、底部他面側マチHｍは図３に示すマチH６、底部のりしろ辺Bjは図３に示す底部のりしろBhとなる。
【００２３】
図３に示す山折線ｙ１２、谷折線ｚ４,ｚ５からなる部分は、一面側マチHdと他面側マチHeからなる他側部マチH７と、底部一面側マチHkと底部他面側マチHｍからなる底部マチH８の裏面同士を重ね合わせ、底部マチ辺Hｌを押し込むように他側部マチH７と底部マチH８とを同時に畳むことにより形成する。
【００２４】
図４はマチを少し開いた状態を示しているが、完全に畳み込むと一面側マチHdの下辺は一面側Haと、他面側マチHeの下辺は他面側Hcと平行となり、マチ他辺Hf、底部マチ辺Hｌは一面側Haや他面側Hcと直角及び図１に示す底部B4と平行となる。
【００２５】
図５はファイリング仕分封筒に記入用紙を貼着した実施例を示す側面図であり、下方記入用紙E４に積層して上方記入用紙E５がファイリング仕分封筒B１１に貼着されており、上方記入用紙E５を少し開いた状態を示した図である。記入用紙E３裏面上部に粘着層Eｃが折れ線Edより上に位置する貼着部Eeに設けられており、貼着部Eeのみ貼着することにより上方記入用紙E４と下方記入用紙E３を積層しても参照できるように構成されている。
【００２６】
粘着層Ecは強粘着層又は弱粘着層のいずれか、又は図１に示す開口部Bcと平行に前記粘着層両方を並べて設けても良く、強粘着層の場合は折れ線Eｄにミシン目加工を施せば切り離しが可能になりファイリング仕分封筒B９の再利用ができるようになる。また粘着層が記入用紙全体に設けられており剥離紙を有すラベル等の場合は、折れ線Eeにミシン目加工を施し、貼着部Ee部分のみ剥離紙を剥がして貼着することにより見開きが可能になる。
【図面の簡単な説明】
【００２７】
【図１】ファイリング仕分封筒の実施例を示す斜視図である。
【図２】ファイリング仕分封筒の実施例を示す展開図である。
【図３】マチを設けたファイリング仕分封筒の実施例を示す展開図である。
【図４】マチを設けたファイリング仕分封筒の実施例を示す側面拡大図である。
【図５】ファイリング仕分封筒に記入用紙を貼着した実施例を示す側面図である。
【符号の説明】
【００２８】
A        ファイル
Aa        リング
B        ファイリング仕分封筒
B１      封筒本体
B２      一側部
B３      他側部
B４      底部
B５      一面
B６      他面
Ba      保持穴
Bｂ      ふた
Bｃ      開口部
C        収容ポケット
C１      開口部
D        小ポケット
D１,D２  開口部
E        記入用紙
E１,E２    見出し
Ea        折れ線
Eｂ        記入欄
【００２９】
B７        収容ポケット部
B８        一面部
B９        他面部
B１０      他側部接着先
B１１      底部接着先
B１２,B１３,B１４    空き部
Bd        ふた部
Be        底部のりしろ
Bf        他側部のりしろ
G        展開図
ｙ１,ｙ２,ｙ３,ｙ４,ｙ５    山折線
【００３０】
Bｇ      リング避け
Bh        底部のりしろ
Bi        ふた
H１,H２,H３,H４,H５,H６    マチ
ｙ６,ｙ７,ｙ８,ｙ９,ｙ１０,ｙ１１,ｙ１２    山折線
ｚ１,ｚ２,ｚ３,ｚ４      谷折線
ｘ１,ｘ２,ｘ３            折れ線
【００３１】
Bj      底部のりしろ辺
Ha      一面側
Hb      マチ一辺
Hc      他面側
Hd      一面側マチ
He      他面側マチ
Hｆ      マチ他辺
Hg      一面側マチ辺
Hh      他面側マチ辺
Hk      底部一面側マチ
Hl      底部マチ辺
Hｍ    底部他面側マチ
H7      他側部マチ
H8      底部マチ
【００３２】
B１５    ファイリング仕分封筒
E３    記入用紙
E４    下方記入用紙
E５    上方記入用紙
Eｃ    粘着層
Eｄ    折れ線
Ee    貼着部
【図１】
0003124931.tif 000003
【図２】
0003124931.tif 000004
【図３】
0003124931.tif 000005
【図４】
0003124931.tif 000006
【図５】
0003124931.tif 000007